(57)【要約】【課題】従来、プリンタ本体から搬送ユニットを引き抜いてもそのままでは用紙搬送路が広く開放されないため、特にサイズの小さい用紙が詰まっていてもそれを視認できない虞がある。【解決手段】記録装置は、媒体の面を反転させる反転経路と、記録手段によって記録が行われた媒体を反転経路に案内する第２媒体搬送経路と、第２媒体搬送経路に対して鉛直下方に位置し、記録手段によって記録が行われた媒体を反転経路に案内する、第２媒体搬送経路とは異なる第３媒体搬送経路と、を備え、反転経路を形成する第１経路形成部、第２媒体搬送経路の上側の一部を形成する第２経路形成部、及び第３媒体搬送経路の上側の一部を形成する第３経路形成部が、ユニット体として記録手段を備える装置本体に対し着脱可能に構成され、ユニット体を装置本体から取り外すことにより、第２媒体搬送経路の一部及び第３媒体搬送経路の一部が露呈する。【選択図】図６
2020121836.tif 000002
【特許請求の範囲】
【請求項１】
媒体に記録を行う記録手段と、
前記記録手段と対向する媒体搬送経路であって、媒体に記録を行う際の媒体搬送方向である第１方向及び前記第１方向とは反対の第２方向に媒体を搬送可能な第１媒体搬送経路と、
媒体の面を反転させる反転経路と、
前記記録手段によって記録が行われた媒体を前記反転経路に案内する第２媒体搬送経路と、
前記第２媒体搬送経路に対して鉛直下方に位置し、前記記録手段によって記録が行われた媒体を前記反転経路に案内する、前記第２媒体搬送経路とは異なる第３媒体搬送経路と、を備え、
前記反転経路を形成する第１経路形成部、前記第２媒体搬送経路の上側の一部を形成する第２経路形成部、及び前記第３媒体搬送経路の上側の一部を形成する第３経路形成部が、ユニット体として前記記録手段を備える装置本体に対し着脱可能に構成され、前記ユニット体を前記装置本体から取り外すことにより、前記第２媒体搬送経路の一部及び前記第３媒体搬送経路の一部が露呈する、
ことを特徴とする記録装置。
【請求項２】
請求項１に記載の記録装置において、前記第３経路形成部は、前記第２媒体搬送経路の下側の一部を形成し、
前記ユニット体を前記装置本体から取り外すことにより、前記ユニット体の取り外し方向から見て前記第３媒体搬送経路の下側の一部を形成する第４経路形成部が手前側に露呈し、露呈する前記第４経路形成部に対して奥側に、前記第２媒体搬送経路の下側の一部を形成する第５経路形成部が露呈する、
ことを特徴とする記録装置。
【請求項３】
請求項２に記載の記録装置において、前記第３媒体搬送経路において前記反転経路に接続する部位の下側を形成する第６経路形成部を有し、
前記第６経路形成部が前記ユニット体を構成する、
ことを特徴とする記録装置。
【請求項４】
請求項３に記載の記録装置において、前記第３媒体搬送経路に対して鉛直下方に位置し、媒体を収容可能であるとともに前記装置本体に対して着脱可能な媒体収容カセットと、
前記第３媒体搬送経路の下側の一部を形成し、前記第４経路形成部より前記反転経路から遠い位置にある第７経路形成部を有し、
前記第７経路形成部が、前記装置本体から前記媒体収容カセットを取り外した状態において、下方に変位可能である、
ことを特徴とする記録装置。
【請求項５】
請求項３に記載の記録装置において、前記第３媒体搬送経路に対して鉛直下方に位置し、媒体を収容可能であるとともに前記装置本体に対して着脱可能な媒体収容カセットを備え、
前記ユニット体を前記装置本体から取り外すことにより、前記媒体収容カセットの一部が露呈する、
ことを特徴とする記録装置。
【請求項６】
請求項１から請求項５のいずれか一項に記載の記録装置において、前記ユニット体において前記反転経路の少なくとも一部は、媒体の送り方向と交差する方向である幅方向に間隔を空けて複数配置されるリブにより形成される、
ことを特徴とする記録装置。
【発明の詳細な説明】
【技術分野】
【０００１】
本発明は、媒体に記録を行う記録装置に関する。
【背景技術】
【０００２】
ファクシミリやプリンター等に代表される記録装置において、媒体の一例である用紙の両面に記録を行う為に、用紙を反転させる経路を備えるものがある。  
特許文献１には、搬送される用紙の片面に画像が形成される画像形成搬送路と、画像形成搬送路の下流から選択的に導入された用紙の搬送方向が逆転される逆転搬送路と、逆転搬送路から逆転搬送された用紙が画像形成搬送路の下方を表裏の向きが同じ状態で返送される返送路と、返送路を通して返送された用紙が表裏反転させられて画像形成搬送路の上流に再搬入される反転搬送路とを備えた画像形成装置が開示されている。
【０００３】
特許文献１記載の画像形成装置は、プリンタ本体に対して搬送ユニットが引き出し可能に装着されており、この搬送ユニットには上述の返送路と反転搬送路が形成されている。そして搬送ユニットをプリンタ本体から引き出すことにより、返送路と反転搬送路を、引き出された搬送ユニットの側方から目視することができる。  
そして上述の返送路或いは反転搬送路で紙詰まりの発生を確認した場合は、搬送ユニットを構成する補助ユニットを上方に開くと、返送路と反転搬送路が広く開放され、ジャム処理を容易に行うことができる。
【先行技術文献】
【特許文献】
【０００４】
【特許文献１】特開２００３−１２２０７２号公報
【発明の概要】
【発明が解決しようとする課題】
【０００５】
上記特許文献１記載の画像形成装置においては、プリンタ本体から搬送ユニットを引き抜いてもそのままでは返送路と反転搬送路が広く開放されないため、特にサイズの小さい用紙が詰まっていてもそれを視認できない虞がある。また、より確実に返送路或いは反転搬送路での紙詰まりの有無を確認するためには、搬送ユニットを引き出した後に更に補助ユニットを開く必要があり、手間が掛かる。
【課題を解決するための手段】
【０００６】
上記課題を解決するための、本発明の記録装置は、媒体に記録を行う記録手段と、前記記録手段と対向する媒体搬送経路であって、媒体に記録を行う際の媒体搬送方向である第１方向及び前記第１方向とは反対の第２方向に媒体を搬送可能な第１媒体搬送経路と、媒体の面を反転させる反転経路と、前記記録手段によって記録が行われた媒体を前記反転経路に案内する第２媒体搬送経路と、前記第２媒体搬送経路に対して鉛直下方に位置し、前記記録手段によって記録が行われた媒体を前記反転経路に案内する、前記第２媒体搬送経路とは異なる第３媒体搬送経路と、を備え、前記反転経路を形成する第１経路形成部、前記第２媒体搬送経路の上側の一部を形成する第２経路形成部、及び前記第３媒体搬送経路の上側の一部を形成する第３経路形成部が、ユニット体として前記記録手段を備える装置本体に対し着脱可能に構成され、前記ユニット体を前記装置本体から取り外すことにより、前記第２媒体搬送経路の一部及び前記第３媒体搬送経路の一部が露呈することを特徴とする。
【図面の簡単な説明】
【０００７】
【図１】プリンターを前方から見た斜視図。
【図２】プリンターの用紙搬送経路の全体を示す側断面図であって、ユニット体を装着した状態を示す図。
【図３】プリンターを後方から見た斜視図であって、ユニット体を装着した状態を示す図。
【図４】プリンターを後方から見た斜視図であって、ユニット体を引き出した状態を示す図。
【図５】プリンターの用紙搬送経路の一部を示す側断面図ユニット体を装着した状態を示す図。
【図６】プリンターの用紙搬送経路の一部を示す側断面図であって、ユニット体を引き出した状態を示す図。
【図７】第４経路形成部と第５経路形成部が露呈した状態を示す斜視図。
【図８】ユニット体を斜め上から見た斜視図。
【図９】ユニット体を斜め下から見た斜視図。
【発明を実施するための形態】
【０００８】
以下、本発明を概略的に説明する。  
第１の態様に係る記録装置は、媒体に記録を行う記録手段と、前記記録手段と対向する媒体搬送経路であって、媒体に記録を行う際の媒体搬送方向である第１方向及び前記第１方向とは反対の第２方向に媒体を搬送可能な第１媒体搬送経路と、媒体の面を反転させる反転経路と、前記記録手段によって記録が行われた媒体を前記反転経路に案内する第２媒体搬送経路と、前記第２媒体搬送経路に対して鉛直下方に位置し、前記記録手段によって記録が行われた媒体を前記反転経路に案内する、前記第２媒体搬送経路とは異なる第３媒体搬送経路と、を備え、前記反転経路を形成する第１経路形成部、前記第２媒体搬送経路の上側の一部を形成する第２経路形成部、及び前記第３媒体搬送経路の上側の一部を形成する第３経路形成部が、ユニット体として前記記録手段を備える装置本体に対し着脱可能に構成され、前記ユニット体を前記装置本体から取り外すことにより、前記第２媒体搬送経路の一部及び前記第３媒体搬送経路の一部が露呈することを特徴とする。
【０００９】
前記第３媒体搬送経路は前記第２媒体搬送経路に対して鉛直下方に位置する為、媒体の詰まりの有無の確認が行い難い位置にあるが、本態様によれば、前記ユニット体を前記装置本体から取り外すことにより、前記第２媒体搬送経路の一部に加えて前記第３媒体搬送経路の一部が露呈する構成であるので、前記第２媒体搬送経路に加えて前記第３媒体搬送経路での媒体の詰まりを迅速且つ容易に確認することができ、また、詰まった媒体を迅速且つ容易に除去することができる。
【００１０】
第２の態様は、第１の態様において、前記第３経路形成部は、前記第２媒体搬送経路の下側の一部を形成し、前記ユニット体を前記装置本体から取り外すことにより、前記ユニット体の取り外し方向から見て前記第３媒体搬送経路の下側の一部を形成する第４経路形成部が手前側に露呈し、露呈する前記第４経路形成部に対して奥側に、前記第２媒体搬送経路の下側の一部を形成する第５経路形成部が露呈することを特徴とする。
【００１１】
本態様によれば、前記ユニット体を前記装置本体から取り外すことにより、前記ユニット体の取り外し方向から見て前記第３媒体搬送経路の下側の一部を形成する第４経路形成部が手前側に露呈し、露呈する前記第４経路形成部に対して奥側に、前記第２媒体搬送経路の下側の一部を形成する第５経路形成部が露呈するので、前記第２媒体搬送経路に対して下側に位置する前記第３媒体搬送経路の一部の視認性が向上する。
【００１２】
第３の態様は、第２の態様において、前記第３媒体搬送経路において前記反転経路に接続する部位の下側を形成する第６経路形成部を有し、前記第６経路形成部が前記ユニット体を構成することを特徴とする。
【００１３】
本態様によれば、前記第３媒体搬送経路において前記反転経路に接続する部位の下側を形成する第６経路形成部を有し、前記第６経路形成部が前記ユニット体を構成するので、前記ユニット体を取り外すことにより前記第６経路形成部も前記装置本体から取り外されることとなり、前記第３媒体搬送経路での媒体の詰まりをより容易に確認することができ、また、詰まった媒体を容易に除去することができる。
【００１４】
第４の態様は、第３の態様において、前記第３媒体搬送経路に対して鉛直下方に位置し、媒体を収容可能であるとともに前記装置本体に対して着脱可能な媒体収容カセットと、前記第３媒体搬送経路の下側の一部を形成し、前記第４経路形成部より前記反転経路から遠い位置にある第７経路形成部を有し、前記第７経路形成部が、前記装置本体から前記媒体収容カセットを取り外した状態において、下方に変位可能であることを特徴とする。
【００１５】
本態様によれば、前記第３媒体搬送経路の下側の一部を形成し、前記第４経路形成部より前記反転経路から遠い位置にある第７経路形成部が、下方に変位可能であるので、前記第３媒体搬送経路において前記第４経路形成部より前記反転経路から遠い位置で媒体の詰まりが生じた場合に、詰まった媒体を除去することができる。
【００１６】
第５の態様は、第３の態様において、前記第３媒体搬送経路に対して鉛直下方に位置し、媒体を収容可能であるとともに前記装置本体に対して着脱可能な媒体収容カセットを備え、前記ユニット体を前記装置本体から取り外すことにより、前記媒体収容カセットの一部が露呈することを特徴とする。
【００１７】
本態様によれば、前記第３媒体搬送経路に対して鉛直下方に位置し、媒体を収容可能であるとともに前記装置本体に対して着脱可能な媒体収容カセットを備え、前記ユニット体を前記装置本体から取り外すことにより、前記媒体収容カセットの一部が露呈するので、前記媒体収容カセットから媒体が送り出されている途中で当該媒体が詰まった場合に、その詰まりを容易に確認することができ、また、詰まった媒体を容易に取り除くことができる。
【００１８】
第６の態様は、第１から第５の態様のいずれかにおいて、前記ユニット体において前記反転経路の少なくとも一部は、媒体の送り方向と交差する方向である幅方向に間隔を空けて複数配置されるリブにより形成されることを特徴とする。
【００１９】
本態様によれば、前記ユニット体において前記反転経路の少なくとも一部は、媒体の送り方向と交差する方向である幅方向に間隔を空けて複数配置されるリブにより形成されるので、経路の内側で生じた媒体の詰まりを視認し易く、また、隣合うリブの間隔が手指を入れることのできる間隔であれば、詰まった媒体を容易に取り除くことができる。
【００２０】
以下、本発明を具体的に説明する。  
尚、各図においてＸ軸に沿った方向は装置幅方向であり、用紙搬送方向と交差する方向、即ち用紙幅方向となる。−Ｘ方向は装置前面をユーザーと対面させた際にユーザーから見て右方向となり、また＋Ｘ方向は同左方向となる。  
またＹ軸に沿った方向は装置奥行き方向であり、＋Ｙ方向は装置背面から前面に向かう方向であり、第１方向となる。また、−Ｙ方向は装置前面から背面に向かう方向であり、第２方向となる  
またＺ軸に沿った方向は鉛直方向であり、＋Ｚ方向は鉛直上方、−Ｚ方向は鉛直下方となる。  
本実施形態において装置の周囲を構成する側面のうち操作部５が設けられた側面が装置前面となる。
【００２１】
図１において記録装置の一例であるインクジェットプリンター１は、装置本体２の上部に、スキャナー部３を備えて成る、所謂複合機である。以下、インクジェットプリンターを「プリンター」と略称する。  
装置本体２は、媒体の一例である記録用紙に記録を行う機能を有し、スキャナー部３は、原稿を読み取る機能を有する。尚、スキャナー部３は、セットされた原稿を自動送りする自動原稿送り機構（ＡＤＦ：Ａｕｔｏ  Ｄｏｃｕｍｅｎｔ  Ｆｅｅｄｅｒ）を備えている。
【００２２】
装置本体２は、記録用紙を搬送する搬送経路（後述）や記録手段の一例である記録ヘッド９（図２）を備えており、また、本実施形態では二つの媒体収容カセット、具体的には第１用紙カセット５１及び第２用紙カセット５２を着脱可能に備えている。
【００２３】
また装置本体２は、第１用紙カセット５１及び第２用紙カセット５２への用紙セットに加え、装置背面からの用紙セット及び給送も可能に構成されている。符号７は装置背面から用紙をセットする際の用紙セット口（不図示）を開閉するカバーである。
【００２４】
装置本体２は、装置前面に、プリンター１の各種操作を行う操作部５を備えている。操作部５は、表示部と複数の操作ボタンを備えて成るとともに、チルト可能に設けられている。  
操作部５の下側には、記録が行われて排出される記録用紙を受ける排出トレイ６が設けられている。排出トレイ６は、図１に示すように装置本体２の内部に収容された状態と、装置本体２から引き出された状態（不図示）と、を取り得るように設けられている。
【００２５】
続いて図２を参照しつつ記録用紙の搬送経路について説明する。尚、図２では第２用紙カセット５２の図示は省略する。  
プリンター１において、記録用紙は給送経路に拘わらず反転経路ＲＲを構成する反転ローラー２１を介して搬送駆動ローラー１６に搬送され、搬送駆動ローラー１６によって、記録ヘッド９による記録領域に搬送される。
【００２６】
より詳しくは、プリンター１は用紙給送経路として第１用紙カセット５１から記録用紙を給送する為の用紙給送経路Ｋ１と、第１用紙カセット５１の下の第２用紙カセット５２から記録用紙を給送する為の用紙給送経路Ｋ２と、装置後方上部から手差しで記録用紙を給送する為の用紙給送経路Ｋ３と、を備えている。
【００２７】
またプリンター１は用紙搬送経路として、記録ヘッド９と対向する用紙搬送経路であって記録用紙に記録を行う際の用紙搬送方向である第１方向（＋Ｙ方向）及びその反対の第２方向（−Ｙ方向）に記録用紙を搬送可能な第１用紙搬送経路ＦＲ１と、記録用紙の面を反転させる反転経路ＲＲと、記録が行われた記録用紙を反転経路ＲＲに案内する第２用紙搬送経路ＦＲ２と、第２用紙搬送経路ＦＲ２に対して鉛直下方に位置し、記録が行われた記録用紙を反転経路ＲＲに案内する、第２用紙搬送経路ＦＲ２とは異なる第３用紙搬送経路ＦＲ３と、を備えている。
【００２８】
尚、本実施形態において第１用紙搬送経路ＦＲ１は、搬送駆動ローラー１６と第１排出駆動ローラー４１との間の用紙搬送経路とする。また第２用紙搬送経路ＦＲ２は、従動ローラー１４ｄを経由する、搬送駆動ローラー１６と従動ローラー１４ａとの間の用紙搬送経路とする。また第３用紙搬送経路ＦＲ３は、反転駆動ローラー４３を経由する、第２排出駆動ローラー４７と従動ローラー１４ａとの間の用紙搬送経路とする。また反転経路ＲＲは、従動ローラー１４ａと従動ローラー１４ｃとの間の用紙搬送経路とする。尚、図２において符号ＦＲ４は、従動ローラー１４ｃと搬送駆動ローラー１６との間の用紙搬送経路（第４用紙搬送経路）である。
【００２９】
用紙給送経路Ｋ１において、記録用紙は給送ローラー１１により給送される。給送ローラー１１は揺動軸１２ａを中心に揺動する支持部材１２に支持され、支持部材１２の揺動により給送ローラー１１が第１用紙カセット５１に収容される記録用紙Ｐに対して進退する。  
第１用紙カセット５１の下に設けられた第２用紙カセット５２（図２において不図示）にも同様な給送機構（不図示）が設けられている。
【００３０】
反転ローラー２１は他のローラーに比して最も大径に形成され、記録用紙を湾曲反転させる。反転ローラー２１の周囲には従動ローラー１４ａ、１４ｂ、１４ｃ、１４ｄ、が設けられている。用紙給送経路Ｋ１、Ｋ２を介して給送される記録用紙は、反転経路ＲＲ、及び第４用紙搬送経路ＦＲ４を介して搬送駆動ローラー１６に送られる。  
用紙給送経路Ｋ３を介して給送される記録用紙は、第４用紙搬送経路ＦＲ４を介して搬送駆動ローラー１６に送られる。
【００３１】
第２用紙搬送経路ＦＲ２を介して−Ｙ方向に沿って送られる記録用紙は、反転経路ＲＲ、及び第４用紙搬送経路ＦＲ４を介して搬送駆動ローラー１６に送られる。  
同様に第３用紙搬送経路ＦＲ３を介して−Ｙ方向に沿って送られる記録用紙は、反転経路ＲＲ、及び第４用紙搬送経路ＦＲ４を介して搬送駆動ローラー１６に送られる。
【００３２】
不図示の駆動源により駆動される搬送駆動ローラー１６に送られた記録用紙は、この搬送駆動ローラー１６と、従動回転する搬送従動ローラー１７とによってニップされ、記録ヘッド９と対向する領域、即ち記録領域に送られ、記録が行われる。
【００３３】
記録ヘッド９を備えるキャリッジ８は、Ｘ軸方向に延びるキャリッジガイド軸１９にガイドされつつ、不図示の動力源によってＸ軸方向に往復動する。記録ヘッド９は、キャリッジ８の移動動作に伴い、記録用紙に対してインクを吐出する。
【００３４】
記録ヘッド９と対向する位置には支持部材１８が設けられており、記録ヘッド９により記録の行われる記録用紙は、支持部材１８によって支持される。  
支持部材１８の下流には、記録の行われた記録用紙を下流に送る、回転駆動される第１排出駆動ローラー４１と、従動回転する排出従動ローラー４２とが設けられている。第１排出駆動ローラー４１と、従動回転する排出従動ローラー４２は、記録ヘッド９の下流に最初に位置するローラー対である。  
そして更にその下流には、回転駆動される第２排出駆動ローラー４７と、従動回転する排出従動ローラー４８とが設けられている。
【００３５】
以上の用紙経路を備えたプリンター１において、給送ローラー１１と反転ローラー２１は、第１のモーター（不図示）により駆動され、搬送駆動ローラー１６と第１排出駆動ローラー４１は第２のモーター（不図示）により駆動され、第２排出駆動ローラー４７と反転駆動ローラー４３は第３のモーター（不図示）により駆動される。
【００３６】
以下、第２用紙搬送経路ＦＲ２及び第３用紙搬送経路ＦＲ３並びに反転経路ＲＲについて更に説明する。  
第１面に記録の行われた記録用紙の、前記第１面に対し反対側の第２面に記録を行う際、記録の行われた記録用紙を、反転経路ＲＲに送る。その際の用紙搬送経路として、第２用紙搬送経路ＦＲ２、及び第３用紙搬送経路ＦＲ３のいずれかを選択できる。
【００３７】
第３用紙搬送経路ＦＲ３の経路長は、第２用紙搬送経路ＦＲ２の経路長より長く、従ってプリンター１の制御部（不図示）は、用紙長の閾値を持ち、記録用紙の長さが閾値を超える場合には第３用紙搬送経路ＦＲ３を選択し、記録用紙の長さが閾値未満の場合には第２用紙搬送経路ＦＲ２を選択する。
【００３８】
第２用紙搬送経路ＦＲ２を利用する場合、第１面に記録が完了した後、搬送駆動ローラー１６、第１排出駆動ローラー４１、第２排出駆動ローラー４７、のこれらを逆転させる。これにより記録用紙は第２用紙搬送経路ＦＲ２を−Ｙ方向に沿って搬送され、反転経路ＲＲに到達する。
【００３９】
第３用紙搬送経路ＦＲ３を利用する場合、第１面に記録が完了した後、用紙後端が第２排出駆動ローラー４７の上流近傍に設けられた従動ローラー４９に到達するまで＋Ｙ方向に沿って搬送し、その後、第２排出駆動ローラー４７を逆転させる。従動ローラー４９の上流には揺動軸３９ａを中心に揺動可能なフラップ３９が設けられており、第３用紙搬送経路ＦＲ３に記録用紙を送る場合、フラップ３９の＋Ｙ方向端部を上に上げる。これにより記録用紙は第３用紙搬送経路ＦＲ３に送り込まれ、反転経路ＲＲに送られる。
【００４０】
尚、第２排出駆動ローラー４７と反転駆動ローラー４３は共通の駆動源である第３のモーター（不図示）から動力を得るが、第３のモーターから反転駆動ローラー４３への動力伝達経路には不図示の回転規制機構が設けられており、この回転規制機構により、第３のモーターの回転方向に拘わらず、反転駆動ローラー４３は記録用紙を−Ｙ方向に搬送する方向（図２において反時計回り方向）に回転する。この回転規制機構は、例えばワンウェイクラッチを含めた機構や、遊星歯車機構を含めて機構で構成できる。  
これに対し第２排出駆動ローラー４７は、第３のモーターが正転すれば正転し、モーター４５が逆転すれば逆転する。
【００４１】
続いて、装置背面に設けられたユニット体２０について説明する。図３及び図４に示す様に装置背面には、ユニット体２０が、装置本体２の装着部２ａに対して着脱可能に設けられている。尚、装着部２ａは、装置本体２においてユニット体２０を収容する為の開口部、またはユニット体２０を収容する為の収容領域或いは収容空間と称することもできる。  
ユニット体２０において符号２０ａはロック解除部であり、ユーザーがロック解除部２０ａを押すことにより、不図示のロック手段によるロックが解除され、ユニット体２０が装置本体２から取り外し可能となる。  
尚、本実施形態においてユニット体２０は装置本体２から取り外し可能であるが、装置本体２から取り外し可能とせずに、完全装着された状態と、引き出された状態とを切り換え可能となる様に設けても良い。
【００４２】
ユニット体２０は、図５及び図６に示す様に反転経路ＲＲを形成する第１経路形成部としての反転ローラー２１、第２用紙搬送経路ＦＲ２の上側の一部を形成する第２経路形成部２２、第３用紙搬送経路ＦＲ３の上側の一部を形成する第３経路形成部２３、を備えて構成されている。従って図５から図６への変化に示す様に、ユニット体２０を装置本体２から取り外すと、第２用紙搬送経路ＦＲ２の一部及び第３用紙搬送経路ＦＲ３の一部が露呈することとなり、第２用紙搬送経路ＦＲ２或いは第３用紙搬送経路ＦＲ３で紙詰まりが生じた場合には、それを迅速且つ容易に視認することができ、また、詰まった記録用紙を迅速且つ容易に除去することができる。
【００４３】
以下、第２用紙搬送経路ＦＲ２及び第３用紙搬送経路ＦＲ３を構成する部材についてより詳しく説明する。  
図５に示す様に、第２用紙搬送経路ＦＲ２の上側の一部が第２経路形成部２２によって形成され、第２用紙搬送経路ＦＲ２の下側の一部が第３経路形成部２３によって形成されている。また、第３経路形成部２３には、第５経路形成部２５が連なっており、第３経路形成部２３及び第５経路形成部２５が、第２用紙搬送経路ＦＲ２の下側の一部を形成している。  
尚、従動ローラー１４ｄは、第３経路形成部２３に対して回転可能に設けられており、ユニット体２０を構成する。本実施形態においては従動ローラー１４ａ、１４ｂもユニット体２０を構成する。
【００４４】
また、第３経路形成部２３及び第５経路形成部２５は、第３用紙搬送経路ＦＲ３の上側の一部を形成する。即ち第３経路形成部２３及び第５経路形成部２５は、第２用紙搬送経路ＦＲ２及び第３用紙搬送経路ＦＲ３の共通の構成部位となる。  
第３用紙搬送経路ＦＲ３の下側の一部は、第６経路形成部２６と、第４経路形成部２４とにより形成される。このうち第６経路形成部２６は、第３用紙搬送経路ＦＲ３において反転経路ＲＲに接続する部位の下側を形成する。
【００４５】
以上説明した、各用紙搬送経路を形成する構成部位のうち、第１経路形成部としての反転ローラー２１、第２経路形成部２２、第３経路形成部２３、第６経路形成部２６、のこれらはユニット体２０を構成する。従ってユニット体５０を取り外すことにより、図６に示す様にユニット体２０の取り外し方向から見て、即ち−Ｙ方向から＋Ｙ方向を見て、第４経路形成部２４が手前側に露呈し、露呈する第４経路形成部２４に対して奥側即ち＋Ｙ方向に、第５経路形成部２５が露呈する。このため、第２用紙搬送経路ＦＲ２に対して下側に位置する第３用紙搬送経路ＦＲ３の一部の視認性が向上する。  
尚、図６において矢印ａは、第５経路形成部２５において露呈する部分を示している。また矢印ｂは、第４経路形成部２４において露呈する部分を示している。  
図示するように第４経路形成部２４において露呈する部分ａと、第５経路形成部２５において露呈する部分ｂが、階段状の形態を成す。この様子は、図７にも示されている。
【００４６】
また本実施形態では、第３用紙搬送経路ＦＲ３において反転経路ＲＲに接続する部位の下側を形成する第６経路形成部２６がユニット体２０を構成するので、ユニット体２０を取り外すことにより第６経路形成部２６も装置本体２から取り外されることとなり、第３用紙搬送経路ＦＲ３での記録用紙の詰まりをより容易に確認することができ、また、詰まった記録用紙を容易に除去することができる。
【００４７】
また本実施形態では、図２に示す様に第３用紙搬送経路ＦＲ３に対して鉛直下方に、記録用紙を収容可能であるとともに装置本体２に対して着脱可能な用紙収容カセット５１を備えている。また用紙収容カセット５１の鉛直上方において、第４経路形成部２４より反転経路ＲＲから遠い位置に、第３用紙搬送経路ＦＲ３の下側の一部を形成する第７経路形成部２７が設けられている。  
この第７経路形成部２７は、揺動軸２７ａを揺動中心にして、＋Ｙ方向の端部２７ｂを操作することで揺動可能に設けられており、排出トレイ６を装置本体２から引き出すとともに、装置本体２から用紙収容カセット５１を取り外した状態において、鉛直下方に変位可能となっている。  
これにより、第３用紙搬送経路ＦＲ３において第４経路形成部２４より反転経路ＲＲから遠い位置で記録用紙の詰まりが生じた場合に、詰まった記録用紙を除去することができる。
【００４８】
また本実施形態では、ユニット体２０を装置本体２から取り外すことにより、用紙収容カセット５１の一部が露呈する。図６において矢印ｃは、ユニット体２０を装置本体２から取り外した状態において用紙収容カセット５１が露呈する部位を示している。  
これにより、用紙収容カセット５１から記録用紙が送り出されている途中で当該記録用紙が詰まった場合に、その詰まりを容易に確認することができ、また、詰まった記録用紙を容易に取り除くことができる。
【００４９】
尚、本実施形態において第２経路形成部２２、第３経路形成部２３、第４経路形成部２４、第５経路形成部２５、第６経路形成部２６、第７経路形成部２７、のこれらは、樹脂材料により形成された部材であり、各用紙搬送経路を形成する面には、全て用紙搬送方向に延びるリブが、用紙搬送方向と交差する方向である幅方向に亘って適宜の間隔で形成されている。  
例えば、図８及び図９に示す様にユニット体２０において反転経路ＲＲが、リブ２２ａによって形成されるので、反転経路ＲＲの内側で生じた記録用紙の詰まりを視認し易く、また、隣合うリブ２２ａの間隔が手指を入れることのできる間隔であれば、詰まった記録用紙を容易に取り除くことができる。  
尚、図９において第２経路形成部２２の下側に形成されたリブ２２ｂは、第２用紙搬送経路ＦＲ２の上側の一部を形成する。また、第３経路形成部２３の下側に形成されたリブ２３ａは、第２用紙搬送経路ＦＲ２の上側の一部を形成する。また、符号３７は用紙給送経路Ｋ２の一部を形成する経路形成部であり、この経路形成部３７にもリブ３７ａが形成され、このリブ３７ａが用紙給送経路Ｋ２の一部を形成する。  
この様に用紙搬送経路が、用紙搬送方向と交差する方向である幅方向に沿って適宜の間隔で配置されたリブの頂部で形成されるので、経路の内側で生じた記録用紙の詰まりを視認し易く、また、隣合うリブの間隔が手指を入れることのできる間隔であれば、詰まった記録用紙を容易に取り除くことができる。
【００５０】
本発明は上記において説明した実施形態に限定されることなく、特許請求の範囲に記載した発明の範囲内で、種々の変形が可能であり、それらも本発明の範囲内に含まれるものであることは言うまでもない。
【符号の説明】
【００５１】
１…インクジェットプリンター、２…装置本体、２ａ…装着部、３…スキャナー部、５…操作部、６…排出トレイ、７…カバー、８…キャリッジ、９…記録ヘッド、１１…給送ローラー、１２…支持部材、１４ａ〜１４ｄ…従動ローラー、１６…搬送駆動ローラー、１７…搬送従動ローラー、１８…支持部材、１９…キャリッジガイド軸、２０…ユニット体、２０ａ…ロック解除部、２１…反転ローラー、２２…第２経路形成部、２２ａ、２２ｂ…リブ、２３…第３経路形成部、２４…第４経路形成部、２５…第５経路形成部、２５ａ…リブ、２６…第６経路形成部、２７…第７経路形成部、２７ａ…揺動軸、３７…経路形成部、３７ａ…リブ、３９…フラップ、４１…第１排出従動ローラー、４２…第１排出従動ローラー、４３…反転駆動ローラー、４４…反転従動ローラー、４７…第２排出駆動ローラー、４８…第２排出従動ローラー、４９…従動ローラー、５０…第１用紙カセット、５２…第２用紙カセット、Ｋ１、Ｋ２、Ｋ３…用紙給送経路、ＦＲ１…第１用紙搬送経路、ＦＲ２…第２用紙搬送経路、ＦＲ３…第３用紙搬送経路、ＲＲ…反転経路
【図１】
2020121836.tif 000003
【図２】
2020121836.tif 000004
【図３】
2020121836.tif 000005
【図４】
2020121836.tif 000006
【図５】
2020121836.tif 000007
【図６】
2020121836.tif 000008
【図７】
2020121836.tif 000009
【図８】
2020121836.tif 000010
【図９】
2020121836.tif 000011